(57)【要約】【課題】電子錠システムにおいて、該システムを管理者に管理させ、セキュリティ性を高める。【解決手段】電子錠システムは、ユーザ通信機２と、錠制御通信機４と、管理者により所有されるＩＤ変換通信機５と、を備える。錠制御通信機４は、ユーザ通信機２のアドレス１に格納されるＩＤ情報を、ＩＤ変更部４８により変更された自身の新ＩＤ情報と照合し、これらが一致する場合、電子錠の開閉を行ない、これらが一致しない場合、自身の新ＩＤ情報をユーザ通信機２のアドレス２に書き込む。ＩＤ変換通信機５は、ユーザ通信機２のアドレス２に書き込まれた新ＩＤ情報を読み出すと共に、アドレス１に書き込み、ユーザ通信機２のＩＤ情報に新たに設定する。このように、管理者が所有するＩＤ変換通信機５によってユーザ通信機２のＩＤ情報が新たに設定されなければ、電子錠を開閉することができないので、セキュリティ性の向上を図ることができる。【選択図】図７
2007224571.tif 000002
【特許請求の範囲】
【請求項１】
ＩＤ情報を有し、ユーザにより所有されるユーザ通信機と、
前記ユーザ通信機と通信を行ない、電子錠の開閉を制御する錠制御通信機と、
前記ユーザ通信機と通信を行ない、前記ユーザ通信機のＩＤ情報を変換し、管理者により所有されるＩＤ変換通信機と、を備える電子錠システムにおいて、
前記錠制御通信機は、ＩＤ情報を有すると共に、該ＩＤ情報を変更するＩＤ変更手段を備え、前記ユーザ通信機のＩＤ情報を読み出し、前記読み出したＩＤ情報と自身のＩＤ情報とを照合し、前記ユーザ通信機のＩＤ情報が前記ＩＤ変更手段により変更された自身の新ＩＤ情報と一致する場合、電子錠の開閉を行ない、これらが一致しない場合、自身の新ＩＤ情報を前記ユーザ通信機に書き込み、
前記ＩＤ変換通信機は、前記錠制御通信機により前記ユーザ通信機に書き込まれた新ＩＤ情報を読み出すと共に、該ＩＤ情報を、電子錠の開閉制御のために前記錠制御通信機のＩＤ情報と照合される前記ユーザ通信機のＩＤ情報に新たに設定し、前記ユーザ通信機のＩＤ情報を変換することを特徴とする電子錠システム。
【請求項２】
前記ユーザ通信機は、電子錠の開閉制御のために前記錠制御通信機のＩＤ情報と照合されるＩＤ情報が格納される第１アドレスと、前記第１アドレスに格納されたＩＤ情報と前記錠制御通信機のＩＤ情報とが一致しない場合、前記錠制御通信機のＩＤ情報が格納される第２アドレスとが割り当てられる記憶手段を有し、
前記ＩＤ変換通信機は、ユーザが押下げ操作可能な操作手段と、情報を記憶するための記憶手段と、を有し、前記操作手段の押下げ操作が行なわれている間に前記ユーザ通信機と通信を行なうとき、前記ユーザ通信機の記憶手段の第２アドレスに格納されるＩＤ情報を読み出すと共に、自身の記憶手段に該ＩＤ情報を記憶させ、前記操作手段の押下げ操作が行なわれていない間に前記ユーザ通信機と通信を行なうとき、自身の記憶手段に記憶させたＩＤ情報を前記ユーザ通信機の記憶手段の第１アドレスに書き込むことを特徴とする請求項１に記載の電子錠システム。
【請求項３】
前記錠制御通信機は、擬似乱数を生成するためのソフトウェアを格納する記憶手段をさらに有し、
前記ＩＤ変更手段は、前記錠制御通信機の電源がオンされたとき、前記ソフトウェアにより作成された擬似乱数に基づいて新ＩＤ情報を作成することを特徴とする請求項１又は請求項２に記載の電子錠システム。
【請求項４】
前記錠制御通信機は、ユーザにより操作される操作手段と、擬似乱数を生成するためのソフトウェアを格納する記憶手段と、をさらに有し、
前記ＩＤ変更手段は、ユーザが前記操作手段を操作したとき、前記ソフトウェアにより作成された擬似乱数に基づいて新ＩＤ情報を作成することを特徴とする請求項１乃至請求項３のいずれかに記載の電子錠システム。
【請求項５】
前記錠制御通信機は、時間に応じてカウントを行ない、カウンタをインクリメントするカウント手段をさらに有し、
前記ＩＤ変更手段は、前記錠制御通信機の電源がオンされ、前記錠制御通信機が最初に通信を行なったときの前記カウンタの値に基づいて新ＩＤ情報を作成することを特徴とする請求項１又は請求項２に記載の電子錠システム。
【請求項６】
前記錠制御通信機は、時間に応じてカウントを行ない、カウンタをインクリメントするカウント手段と、ユーザにより操作される操作手段と、をさらに有し、
前記ＩＤ変更手段は、ユーザが前記操作手段を操作したときの前記カウンタの値に基づいて新ＩＤ情報を作成することを特徴とする請求項１、請求項２又は請求項５のいずれかに記載の電子錠システム。
【請求項７】
複数台の前記錠制御通信機を通信可能に接続する通信手段をさらに備え、
前記錠制御通信機は、複数台設けられると共に、前記通信手段により相互に通信可能に接続され、
前記複数の錠制御通信機のうち１台がマスタ設定され、
前記マスタ設定された錠制御通信機の前記ＩＤ変更手段が、該通信機のＩＤ情報を新ＩＤ情報に変更するとき、前記マスタ設定された錠制御通信機は、前記通信手段を介して、他の前記錠制御通信機のＩＤ情報を、自身の新ＩＤ情報に設定することを特徴とする請求項１乃至請求項６のいずれかに記載の電子錠システム。
【請求項８】
複数台の前記錠制御通信機を通信可能に接続する通信手段をさらに備え、
前記錠制御通信機は、複数台設けられると共に、前記通信手段により相互に通信可能に接続され、任意の前記錠制御通信機の前記ＩＤ変更手段が、該通信機のＩＤ情報を新ＩＤ情報に変更するとき、前記ＩＤ情報が変更された錠制御通信機は、前記通信手段を介して、他の前記錠制御通信機のＩＤ情報を、自身の新ＩＤ情報に書き換えることを特徴とする請求項１、請求項２、請求項４乃至請求項６のいずれかに記載の電子錠システム。
【請求項９】
前記錠制御通信機は、自身のＩＤ情報を前記ユーザ通信機に送信するとき、該ＩＤ情報を暗号化し、該ＩＤ情報を前記ユーザ通信機に書き込み、
前記ＩＤ変換通信機は、前記ユーザ通信機に書き込まれたＩＤ情報を読み出し、該ＩＤ情報を復号化し、復号化したＩＤ情報を前記ユーザ通信機に書き込むことを特徴とする請求項１乃至請求項８のいずれかに記載の電子錠システム。
【請求項１０】
前記錠制御通信機は、自身の新ＩＤ情報を前記ユーザ通信機に送信するとき、変更前のＩＤ情報に基づいて新ＩＤ情報を暗号化し、該ＩＤ情報を前記ユーザ通信機に書き込み、
前記ＩＤ変換通信機は、前記ユーザ通信機に書き込まれた新ＩＤ情報を読み出し、該ＩＤ情報を復号化し、復号化した新ＩＤ情報を前記ユーザ通信機に書き込むことを特徴とする請求項１乃至請求項８のいずれかに記載の電子錠システム。
【請求項１１】
前記ユーザ通信機の前記記憶手段と、前記ＩＤ変換通信機の前記記憶手段とは、揮発性のメモリを含むことを特徴とする請求項１乃至請求項１０のいずれかに記載の電子錠システム。
【請求項１２】
前記錠制御通信機と前記ユーザ通信機との間の通信が人体通信により行なわれることを特徴とする請求項１乃至請求項１１のいずれかに記載の電子錠システム。
【発明の詳細な説明】
【技術分野】
【０００１】
本発明は、電気的に錠の開閉を制御する電子錠システムに関する。
【背景技術】
【０００２】
従来より、ユーザが使用する送信器と、電子錠ロック機構が接続される受信器とで構成される電子錠システムが広く利用されている。当該システムでは、受信器は送信器からの無線信号を受信し、この信号に基づいて電子錠ロック機構が電気的に制御され、電子錠の開閉制御が行なわれる。当該開閉制御により、錠の開け閉めが自動的に行なわれるか、又は手動による錠の開け閉めが可能になる。
【０００３】
上記電子錠開閉制御を行なうための信号に暗証コードが用いられ、同一の暗証コードを有するユーザによる偶然のドアの開閉を防止し、セキュリティ性を向上させるキーレスエントリーシステムが知られている（例えば、特許文献１参照）。このキーレスエントリーシステムは、自動車等の車両の鍵の開閉を制御するためシステムであり、操作スイッチが操作されるごとに暗証コードを含む送信コードを送信する送信器と、送信コードを受信し、送信コードの暗証コードが基準コードに符合することを条件に、当該送信コードに応じた動作信号を出力する受信器とを有する。送信器は、操作スイッチが操作されるごとに、所定の関数に従って暗証コードを算出して更新し、これを含む送信コードを送信する。受信器は、この送信コードの受信ごとに、送信器と同様の関数に従って基準コードを算出して更新する。受信器において暗証コードと基準コードとが一致しなかった場合、受信器はこの送信コードを一時的に記憶する。所定の時間内に、ユーザが正規のキーをドアのキーシリンダに挿入し、ドアロック状態が変化したときのみ、この送信コードの暗証コードが、一致した暗証コードとみなされ、基準コードとして受信器に再登録される。同一の暗証コードを有するユーザは、正規のキーを有しないので、偶然のドアの開閉が防止される。なお、暗証コードと基準コードとが一致しない場合には、ユーザが送信器の操作スイッチを空押しした場合が含まれる。
【特許文献１】特開２０００−３１４２４２号公報
【発明の開示】
【発明が解決しようとする課題】
【０００４】
しかしながら、特許文献１に記載の技術では、ユーザの動作に応じて基準コードが再登録されるので、基準コードの設定を従業員等のユーザに許可せず、管理者のみに許可するパチンコ台等に、上記キーレスエントリーシステムを導入することができなかった。また、同一のキーを複数のユーザが所有し、この同一のキーによって開閉可能な複数の錠を備えるシステムにおいて、錠のそれぞれと接続された複数の受信器のうち1つの基準コードが変更された場合、同一のキーによる複数の錠の開閉ができなくなっていた。
【０００５】
本発明は、上記従来の問題を解決するためになされたものであり、管理者によって管理されるセキュリティ性の高い電子錠システムを提供することを目的とする。
【課題を解決するための手段】
【０００６】
上記目的を達成するために請求項１の発明は、ＩＤ情報を有し、ユーザにより所有されるユーザ通信機と、前記ユーザ通信機と通信を行ない、電子錠の開閉を制御する錠制御通信機と、前記ユーザ通信機と通信を行ない、前記ユーザ通信機のＩＤ情報を変換し、管理者により所有されるＩＤ変換通信機と、を備える電子錠システムにおいて、前記錠制御通信機は、ＩＤ情報を有すると共に、該ＩＤ情報を変更するＩＤ変更手段を備え、前記ユーザ通信機のＩＤ情報を読み出し、前記読み出したＩＤ情報と自身のＩＤ情報とを照合し、前記ユーザ通信機のＩＤ情報が前記ＩＤ変更手段により変更された自身の新ＩＤ情報と一致する場合、電子錠の開閉を行ない、これらが一致しない場合、自身の新ＩＤ情報を前記ユーザ通信機に書き込み、前記ＩＤ変換通信機は、前記錠制御通信機により前記ユーザ通信機に書き込まれた新ＩＤ情報を読み出すと共に、該ＩＤ情報を、電子錠の開閉制御のために前記錠制御通信機のＩＤ情報と照合される前記ユーザ通信機のＩＤ情報に新たに設定し、前記ユーザ通信機のＩＤ情報を変換するものである。
【０００７】
請求項２の発明は、請求項１に記載の電子錠システムにおいて、前記ユーザ通信機は、電子錠の開閉制御のために前記錠制御通信機のＩＤ情報と照合されるＩＤ情報が格納される第１アドレスと、前記第１アドレスに格納されたＩＤ情報と前記錠制御通信機のＩＤ情報とが一致しない場合、前記錠制御通信機のＩＤ情報が格納される第２アドレスとが割り当てられる記憶手段を有し、前記ＩＤ変換通信機は、ユーザが押下げ操作可能な操作手段と、情報を記憶するための記憶手段と、を有し、前記操作手段の押下げ操作が行なわれている間に前記ユーザ通信機と通信を行なうとき、前記ユーザ通信機の記憶手段の第２アドレスに格納されるＩＤ情報を読み出すと共に、自身の記憶手段に該ＩＤ情報を記憶させ、前記操作手段の押下げ操作が行なわれていない間に前記ユーザ通信機と通信を行なうとき、自身の記憶手段に記憶させたＩＤ情報を前記ユーザ通信機の記憶手段の第１アドレスに書き込むものである。
【０００８】
請求項３の発明は、請求項１又は請求項２に記載の電子錠システムにおいて、前記錠制御通信機は、擬似乱数を生成するためのソフトウェアを格納する記憶手段をさらに有し、前記ＩＤ変更手段は、前記錠制御通信機の電源がオンされたとき、前記ソフトウェアにより作成された擬似乱数に基づいて新ＩＤ情報を作成するものである。
【０００９】
請求項４の発明は、請求項１乃至請求項３のいずれかに記載の電子錠システムにおいて、前記錠制御通信機は、ユーザにより操作される操作手段と、擬似乱数を生成するためのソフトウェアを格納する記憶手段と、をさらに有し、前記ＩＤ変更手段は、ユーザが前記操作手段を操作したとき、前記ソフトウェアにより作成された擬似乱数に基づいて新ＩＤ情報を作成するものである。
【００１０】
請求項５の発明は、請求項１又は請求項２に記載の電子錠システムにおいて、前記錠制御通信機は、時間に応じてカウントを行ない、カウンタをインクリメントするカウント手段をさらに有し、前記ＩＤ変更手段は、前記錠制御通信機の電源がオンされ、前記錠制御通信機が最初に通信を行なったときの前記カウンタの値に基づいて新ＩＤ情報を作成するものである。
【００１１】
請求項６の発明は、請求項１、請求項２又は請求項５のいずれかに記載の電子錠システムにおいて、前記錠制御通信機は、時間に応じてカウントを行ない、カウンタをインクリメントするカウント手段と、ユーザにより操作される操作手段と、をさらに有し、前記ＩＤ変更手段は、ユーザが前記操作手段を操作したときの前記カウンタの値に基づいて新ＩＤ情報を作成するものである。
【００１２】
請求項７の発明は、請求項１乃至請求項６のいずれかに記載の電子錠システムにおいて、複数台の前記錠制御通信機を通信可能に接続する通信手段をさらに備え、前記錠制御通信機は、複数台設けられると共に、前記通信手段により相互に通信可能に接続され、前記複数の錠制御通信機のうち１台がマスタ設定され、前記マスタ設定された錠制御通信機の前記ＩＤ変更手段が、該通信機のＩＤ情報を新ＩＤ情報に変更するとき、前記マスタ設定された錠制御通信機は、前記通信手段を介して、他の前記錠制御通信機のＩＤ情報を、自身の新ＩＤ情報に設定するものである。
【００１３】
請求項８の発明は、請求項１、請求項２、請求項４乃至請求項６のいずれかに記載の電子錠システムにおいて、複数台の前記錠制御通信機を通信可能に接続する通信手段をさらに備え、前記錠制御通信機は、複数台設けられると共に、前記通信手段により相互に通信可能に接続され、任意の前記錠制御通信機の前記ＩＤ変更手段が、該通信機のＩＤ情報を新ＩＤ情報に変更するとき、前記ＩＤ情報が変更された錠制御通信機は、前記通信手段を介して、他の前記錠制御通信機のＩＤ情報を、自身の新ＩＤ情報に書き換えるものである。
【００１４】
請求項９の発明は、請求項１乃至請求項８のいずれかに記載の電子錠システムにおいて、前記錠制御通信機は、自身のＩＤ情報を前記ユーザ通信機に送信するとき、該ＩＤ情報を暗号化し、該ＩＤ情報を前記ユーザ通信機に書き込み、前記ＩＤ変換通信機は、前記ユーザ通信機に書き込まれたＩＤ情報を読み出し、該ＩＤ情報を復号化し、復号化したＩＤ情報を前記ユーザ通信機に書き込むものである。
【００１５】
請求項１０の発明は、請求項１乃至請求項８のいずれかに記載の電子錠システムにおいて、前記錠制御通信機は、自身の新ＩＤ情報を前記ユーザ通信機に送信するとき、変更前のＩＤ情報に基づいて新ＩＤ情報を暗号化し、該ＩＤ情報を前記ユーザ通信機に書き込み、前記ＩＤ変換通信機は、前記ユーザ通信機に書き込まれた新ＩＤ情報を読み出し、該ＩＤ情報を復号化し、復号化した新ＩＤ情報を前記ユーザ通信機に書き込むものである。
【００１６】
請求項１１の発明は、請求項１乃至請求項１０のいずれかに記載の電子錠システムにおいて、前記ユーザ通信機の前記記憶手段と、前記ＩＤ変換通信機の前記記憶手段とは、揮発性のメモリを含むものである。
【００１７】
請求項１２の発明は、請求項１乃至請求項１１のいずれかに記載の電子錠システムにおいて、前記錠制御通信機と前記ユーザ通信機との間の通信が人体通信により行なわれるものである。
【発明の効果】
【００１８】
請求項１の発明によれば、錠制御通信機のＩＤ情報とユーザ通信機のＩＤ情報とが一致しない場合、ＩＤ変換通信機によりユーザ通信機のＩＤ情報を新たに設定しなければ、電子錠を開閉することができないので、セキュリティ性の向上を図ることができる。また、ＩＤ変換通信機は該システムの管理者により所有され、ユーザ通信機のＩＤ情報がユーザにより書き換えられることがないので、悪意あるユーザによるＩＤ情報の書き換えを防止でき、セキュリティ性を高めることができる。
【００１９】
請求項２の発明によれば、ＩＤ変換通信機において、ユーザ通信機からのＩＤ情報読み出し動作と、ユーザ通信機へのＩＤ情報書き込み動作とを別々に行なうことができるので、複数台のユーザ通信機が設けられる場合、１台のユーザ通信機からＩＤ情報を読み出し、その後、当該情報を複数台のユーザ通信機に書き込むことができる。このため、複数台のユーザ通信機が設けられる場合に、ユーザ通信機のＩＤ情報を簡便に変更することが可能となる。
【００２０】
請求項３の発明によれば、錠制御通信機の新ＩＤ情報は擬似乱数に基づいて作成されるので、ＩＤ情報の解読を困難にすることができ、セキュリティ性の向上を図ることができる。また、錠制御通信機の電源がオンされたときに新ＩＤ情報が作成されるので、自動的にＩＤ情報を更新することができる。
【００２１】
請求項４の発明によれば、錠制御通信機の新ＩＤ情報は擬似乱数に基づいて作成されるので、ＩＤ情報の解読を困難にすることができ、セキュリティ性の向上を図ることができる。また、ユーザが操作手段を操作したときに新ＩＤ情報が作成されるので、任意のときに錠制御通信機のＩＤ情報を更新することができる。
【００２２】
請求項５の発明によれば、錠制御通信機が、電源オン後に最初に通信を行なうときは不定であるため、電源オン時から通信時までの経過時間に応じて錠制御通信機の新ＩＤ情報を作成することにより、解読困難なＩＤ情報を作成することができる。このため、セキュリティ性を高めることができる。また、錠制御通信機が最初に通信を行なうとき新ＩＤ情報が作成されるので、自動的にＩＤ情報を更新することができる。
【００２３】
請求項６の発明によれば、ユーザが操作手段を操作するときは不定であるため、特定のときから操作時までの経過時間に応じて錠制御通信機の新ＩＤ情報を作成することにより、解読困難なＩＤ情報を作成することができる。このため、セキュリティ性を高めることができる。また、ユーザが操作手段を操作したときに新ＩＤ情報が作成されるので、任意のときに錠制御通信機のＩＤ情報を更新することができる。
【００２４】
請求項７の発明によれば、マスタ設定された錠制御通信機のＩＤ情報が更新されたとき、他の錠制御通信機のＩＤ情報は、マスタ設定された錠制御通信機により、該通信機の新ＩＤ情報に設定される。このため、複数台の錠制御通信機のＩＤ情報を統一することができ、同一のユーザ通信機を使用して複数の電子錠を開閉することができる。
【００２５】
請求項８の発明によれば、ＩＤ情報が変更された任意の錠制御通信機は、他の錠制御通信機のＩＤ情報を、自身の新ＩＤ情報に書き換えることができるので、複数台の錠制御通信機のＩＤ情報を統一することができる。このため、同一のユーザ通信機を使用して複数の電子錠を開閉することが可能となる。
【００２６】
請求項９の発明によれば、錠制御通信機は、自身の新ＩＤ情報をユーザ通信機に送信するとき、該ＩＤ情報を暗号化するので、ＩＤ情報の漏洩を防ぐことができ、セキュリティ性を高めることができる。
【００２７】
請求項１０の発明によれば、錠制御通信機は、自身の新ＩＤ情報をユーザ通信機に送信するとき、変更前のＩＤ情報に基づいて新ＩＤ情報を暗号化するので、ＩＤ情報の漏洩を防ぐことができ、セキュリティ性を高めることができる。
【００２８】
請求項１１の発明によれば、ユーザ通信機の記憶手段と、ＩＤ変換通信機の記憶手段とは、揮発性のメモリを含むので、これらの通信機を分解してメモリを取り出す場合、メモリに電力が供給されなくなり、メモリに格納されたＩＤ情報は失われ、このＩＤ情報を読み出すことができなくなる。このため、これらの通信機が盗難に合った場合、ＩＤ情報の漏洩を防ぐことができ、セキュリティ性の向上を図ることができる。
【００２９】
請求項１２の発明によれば、錠制御通信機とユーザ通信機との間の通信が人体通信により行なわれるので、頻繁に電子錠の開閉を行なう場合、これらの通信機に触れるだけで通信が可能になり、使い勝手を良くすることができる。
【発明を実施するための最良の形態】
【００３０】
本発明の第１の実施形態に係る電子錠システムについて図１乃至図１０を参照して説明する。
【００３１】
図１は、電子錠システムの構成を示す。電子錠システム１は、ＩＤ情報を有し、ユーザにより所有されるユーザ通信機２と、ユーザ通信機２と双方向通信を行ない、電子錠３の開閉を制御する錠制御通信機４と、ユーザ通信機２と双方向通信を行ない、ユーザ通信機２のＩＤ情報を変換し、管理者により所有されるＩＤ変換通信機５と、を備える。
【００３２】
ユーザ通信機２は、情報を記憶するための記憶部２０（記憶手段）を有する。記憶部２０は、ユーザ通信機２のＩＤ情報を記憶するためのＲＡＭ（Ｒａｎｄｏｍ  Ａｃｃｅｓｓ  Ｍｅｍｏｒｙ）等の揮発性メモリを含む。
【００３３】
電子錠３は、錠制御通信機４により開閉動作が電気的に制御される。この開閉動作の制御により、手動による電子錠３の開閉が可能になる。
【００３４】
錠制御通信機４は、情報を記憶するための記憶部４０（記憶手段）を有する。記憶部４０は、錠制御通信機４のＩＤ情報を記憶するためのＲＡＭ等の揮発性メモリを含む。また、錠制御通信機４は、自身のＩＤ情報を変更するＩＤ変更部４８（ＩＤ変更手段）を備える。ＩＤ変更部４８は、錠制御通信機４の電源がオフされて、さらにオンされたとき、錠制御通信機４のＩＤ情報を変更する。さらに、錠制御通信機４は、ユーザ通信機２からＩＤ情報を読み出し、この読み出したＩＤ情報と自身のＩＤ情報を照合して、一致又は不一致の判定を下す。
【００３５】
上記の各種通信機の記憶部２０、４０において、ＩＤ情報は揮発性メモリに記憶されるので、これら通信機が分解されてメモリが取り出される場合、メモリに電力が供給されなくなり、メモリに格納されたＩＤ情報は失われ、このＩＤ情報を読み出すことができなくなる。従って、ユーザ通信機２又は錠制御通信機４が盗難に合った場合、ＩＤ情報の漏洩を防ぐことができ、セキュリティ性の向上を図ることができる。
【００３６】
図２は、ユーザ通信機２の電気的構成を示す。ユーザ通信機２は、錠制御通信機４又はＩＤ変換通信機５と送受信するＩＤ情報を含む各種情報を記憶する記憶部２０と、ユーザの人体又はＩＤ変換通信機５の電極と接触する２個の電極２１、２２と、送信する情報に基づいて電気信号を変調して変調信号を生成する変調部２３と、変調部２３からの変調信号に基づく電圧を電極２１、２２の間に印加する電圧印加部２４と、を有する電気回路を備える。さらに、ユーザ通信機２は、電極２１、２２の間の電圧を検出する電圧検出部２５と、検出した電圧信号を復調して、情報を抽出する復調部２６と、各部を制御し、各種演算を行なう制御部２７と、各部に電力を供給する電池（不図示）と、を有する電気回路を備える。
【００３７】
制御部２７は、ＣＰＵ等を含む制御回路で構成される。また、制御部２７は、錠制御通信機４又はＩＤ変換通信機５からの電気信号を電圧検出部２５を介して受信したとき、上記の電池に変調部２３及び電圧印加部２４へ電力を供給させてもよい。このように電力供給を制限することにより、消費電力を低減することができる。
【００３８】
図３（ａ）（ｂ）は、ユーザ通信機２の概観を示す。上記の各部の電気回路は、筐体２８に収納される。電極２１、２２は、筐体２８表面に、ユーザの人体表面と接触可能に設けられる。例えば、電極２１、２２は腕と接触可能に設けられ、腕の長さ方向に離れて位置するように配設される。筐体２８はバンド２９に連結される。バンド２９により筐体２８を腕に固定することができる。
【００３９】
図４（ａ）（ｂ）は、電子錠３及び錠制御通信機４の構成を示す。錠制御通信機４は、ユーザ通信機２と送受信するＩＤ情報を含む各種情報を記憶する記憶部４０と、電子錠３の開閉のためにユーザが接触可能なタッチ電極４１と、ユーザとの静電結合を確保するための結合電極４２と、タッチ電極４１と結合電極４２との間の電圧を検出する電圧検出部４３と、検出した電圧信号を復調して、情報を抽出する復調部４４と、を有する電気回路を備える。さらに、錠制御通信機４は、送信する情報に基づいて電気信号を変調して変調信号を生成する変調部４５と、変調部４５からの変調信号に基づく電圧をタッチ電極４１と結合電極４２との間に印加する電圧印加部４６と、各部を制御し、各種演算を行なう制御部４７と、各部に電力を供給する電池（不図示）と、を有する電気回路を備える。制御部４７は、ＣＰＵ等を含む制御回路で構成され、錠制御通信機４のＩＤ情報を変更するためのＩＤ変更部４８（ＩＤ変更手段）と、を有する。
【００４０】
電子錠３は、ソレノイドで構成される錠開閉部３０を内部に備え、さらに、ユーザが錠を開閉するためにつまんで回転させるつまみ部３１を外部に備える。錠開閉部３０は、錠制御通信機４の制御部４７からの信号に基づいて、錠の開閉制御を行なう。この開閉制御により、ユーザがつまみ部３１を回転させて錠を開閉させることが可能となる。
【００４１】
電子錠３のつまみ部３１は、錠制御通信機４のタッチ電極４１を成す。ユーザがつまみ部３１を触ったとき、ユーザ通信機２と錠制御通信機４とは、電極２１、２２と、ユーザの人体と、タッチ電極４１とを介して、通信を行なう。制御部４７は、ユーザ通信機２から受信した該通信機のＩＤ情報と、記憶部４０に格納されたＩＤ情報とを照合し、これらは一致すると判定した場合、電子錠３の開錠制御を行なう。開錠制御により、ユーザがつまみ部３１を回転させることが可能となる。一方、これらの情報が一致しない場合、ユーザがつまみ部３１を回転させることはできない。
【００４２】
このように、ユーザ通信機２と錠制御通信機４との間の通信は人体通信により行なわれるので、頻繁に電子錠３の開閉を行なう場合、これらの通信機に触れるだけで通信が可能になり、使い勝手を良くすることができる。
【００４３】
錠制御通信機４の記憶部４０は、ＲＯＭ（Ｒｅａｄ  Ｏｎｌｙ  Ｍｅｍｏｒｙ）を含み、このＲＯＭは、擬似乱数を生成するためのプログラム（ソフトウェア）と、ＩＤ情報を暗号化するためのプログラムと、を格納する。ＩＤ変更部４８は、錠制御通信機４の電源がオンされたとき、乱数生成のためのプログラムにより作成された擬似乱数に基づいてＩＤ情報を更新し、新ＩＤ情報を作成する。このため、ＩＤ情報を解読困難なものにすることができ、セキュリティ性の向上を図ることができる。また、錠制御通信機４の電源がオンされたときに新ＩＤ情報が作成されるので、自動的にＩＤ情報を更新することができる。
【００４４】
制御部４７は、ユーザ通信機２からＩＤ情報を読み出し、記憶部４０に格納されたＩＤ情報とユーザ通信機２のＩＤ情報とを照合して、これらの情報の一致又は不一致を判定する。これらの情報が不一致である場合、制御部４７は、記憶部４０に格納されたＩＤ情報をユーザ通信機２に書き込む。ＩＤ情報書き込みの際、制御部４７は、上記の暗号化のためのプログラムを用いてＩＤ情報を暗号化し、暗号化したＩＤ情報を出力する。
【００４５】
図５は、ＩＤ変換通信機５の構成を示す。ＩＤ変換通信機５は、ユーザ通信機２の電極２１、２２と接触する５個の電極５１、５２と、電極５１、５２の間の電圧を検出する電圧検出部５３と、検出した電圧信号を復調して、情報を抽出する復調部５４と、を有する電気回路を備える。さらに、ＩＤ変換通信機５は、送信する情報に基づいて電気信号を変調して変調信号を生成する変調部５５と、変調部５５からの変調信号に基づく電圧を電極５１、５２の間に印加する電圧印加部５６と、各部を制御し、各種演算を行なう制御部５７と、各部に電力を供給する電池（不図示）とを有する電気回路を備える。
【００４６】
制御部５７は、ＣＰＵ等を含む制御回路で構成され、ユーザ通信機２からのＩＤ情報の読み出し及びユーザ通信機２へのＩＤ情報書き込みが可能である。また、制御部５７は、読み出したユーザ通信機２のＩＤ情報が暗号化されている場合、暗号化されたＩＤ情報を復号化する。
【００４７】
図６（ａ）（ｂ）（ｃ）は、ＩＤ変換通信機５の概観を示し、同図（ｄ）は、ＩＤ変換通信機５とユーザ通信機２とが電気的に接続されたときの様子を示す。上記の各部の電気回路は筐体５８に収納される。筐体５８の表面に、電極５１、５２と、ユーザ通信機２の電極２１、２２が電極５１、５２と接するようにユーザ通信機２を固定するためのガイド５９と、が設けられる。ガイド５９は、ユーザ通信機２の筐体２８の形状に合わせて成形される。ユーザ通信機２の電極２１、２２と、ＩＤ変換通信機５の電極５１、５２とが接触することにより、これらの通信機は電気的に接続され、これらの間で通信を行なうことが可能となる。
【００４８】
図７は、電子錠システム１における錠開閉制御時の各通信機の動作を時系列に示す。錠制御通信機４の記憶部４０は、例えばＩＤｘｘという自身のＩＤ情報を記憶しているとする。ユーザが錠の開閉動作を開始した場合、ユーザが所持するユーザ通信機２と錠制御通信機４とが通信を開始する。
【００４９】
（１）まず、錠制御通信機４は、ユーザ通信機２の記憶部２０のアドレス１（＃１）から、ユーザ通信機２のＩＤ情報を読み出す動作を行なう。（２）ユーザ通信機２は、例えばＩＤｘｘという自身のＩＤ情報を、錠制御通信機４にロードさせる。錠制御通信機４は、ユーザ通信機２のこのＩＤ情報と、自身のＩＤ情報を照合する。これらのＩＤ情報は、ＩＤｘｘであり、一致するため、電子錠３の開閉が可能となる。なお、このアドレス１は、電子錠３を開閉制御するために錠制御通信機４のＩＤ情報と照合されるＩＤ情報が格納されるアドレスである。
【００５０】
（３）錠制御通信機４の電源がＯＦＦされて、さらにＯＮされたとき、（４）錠制御通信機４のＩＤ変更部４８は、錠制御通信機４のＩＤ情報を新ＩＤ情報に変更する。例えば、新ＩＤ情報をＩＤｘｙとすると、記憶部４０に格納されるＩＤ情報は新ＩＤ情報ＩＤｘｙに変更される。この新ＩＤ情報は、記憶部４０に格納された、擬似乱数を生成するためのプログラムに基づいて作成される。
【００５１】
錠制御通信機４のＩＤ情報更新後、ユーザが電子錠３の開閉するために、ユーザ通信機２と錠制御通信機４とを通信させたとする。（５）錠制御通信機４は、ユーザ通信機２の記憶部２０のアドレス１から、ユーザ通信機２のＩＤ情報を読み出す動作を行なう。（６）ユーザ通信機２は、ＩＤｘｘという自身のＩＤ情報を、錠制御通信機４にロードさせる。錠制御通信機４は、ユーザ通信機２のこのＩＤ情報と、自身のＩＤ情報を照合する。ユーザ通信機２のＩＤ情報はＩＤｘｘであり、錠制御通信機４のＩＤ情報はＩＤｘｙであるので、これらのＩＤ情報は一致しない。このため、認証エラーが発生し、電子錠３の開閉は許可されない。認証エラーが発生した場合、複数回、ＩＤ情報の読み出し動作及び照合動作を繰り返してもよい。
【００５２】
（７）認証エラーが発生した場合、錠制御通信機４は、自身の新ＩＤ情報ＩＤｘｙをユーザ通信機のアドレス２（＃２）に自動的に書き込む。なお、このアドレス２は、アドレス１に格納されたＩＤ情報と錠制御通信機４のＩＤ情報とが一致しない場合、錠制御通信機４のＩＤ情報が格納されるアドレスである。
【００５３】
（８）ＩＤ変換通信機５は、錠制御通信機４によりユーザ通信機２のアドレス２に書き込まれた新ＩＤ情報を読み出す。（９）ユーザ通信機２は、アドレス２に格納したＩＤ情報ＩＤｘｙをＩＤ変換通信機５にロードさせる。（１０）ＩＤ変換通信機５は、このＩＤ情報ＩＤｘｙを、ユーザ通信機２のアドレス１に書き込み、電子錠の開閉制御のために錠制御通信機４のＩＤ情報と照合されるユーザ通信機２のＩＤ情報に新たに設定する。このようにして、ユーザ通信機２のＩＤ情報が変換される。
【００５４】
ユーザ通信機２のＩＤ情報変換後、ユーザが電子錠３の開閉するために、ユーザ通信機２と錠制御通信機４とを通信させたとする。（１１）錠制御通信機４は、ユーザ通信機２の記憶部２０のアドレス１から、ユーザ通信機２のＩＤ情報を読み出す動作を行なう。（１２）ユーザ通信機２は、自身のＩＤ情報ＩＤｘｙを、錠制御通信機４にロードさせる。錠制御通信機４は、ユーザ通信機２のこのＩＤ情報と、自身のＩＤ情報を照合する。錠制御通信機４のＩＤ情報はＩＤｘｙであるため、これらの通信機のＩＤ情報は一致する。その結果、電子錠３の開閉が可能となる。
【００５５】
このように、錠制御通信機４のＩＤ情報とユーザ通信機２のＩＤ情報とが一致しない場合、ＩＤ変換通信機５によりユーザ通信機のＩＤ情報を新たに設定しなければ、電子錠３を開閉することができないので、セキュリティ性の向上を図ることができる。また、ＩＤ変換通信機５は該システムの管理者により所有され、ユーザ通信機のＩＤ情報がユーザにより書き換えられることがないので、悪意あるユーザによるＩＤ情報の書き換えを防止でき、セキュリティ性を高めることができる。
【００５６】
図８は、電子錠システム１の錠開閉制御の動作手順を示す。特に、錠制御通信機４のＩＤ情報が更新された後の錠開閉制御の動作手順を示す。
【００５７】
錠制御通信機４のＩＤ情報が更新されたとする。ＩＤ情報の更新時に、ＩＤ変更部４８により新ＩＤ情報が生成され、旧ＩＤ情報が新ＩＤ情報に変更される（Ｓ１０１）。ユーザがユーザ通信機２を用いて電子錠３を開錠する動作を開始したとき、錠制御通信機４は、ユーザ通信機２のアドレス１からＩＤ情報を読み出す動作を開始し、ユーザ通信機２と通信を始める（Ｓ１０２）。この通信が成功し、錠制御通信機４がユーザ通信機２のＩＤ情報を取得できた場合（Ｓ１０３でＹｅｓ）、錠制御通信機４は、自身のＩＤ情報とユーザ通信機２のＩＤ情報とを照合する（Ｓ１０４）。通信が成功しなかった場合（Ｓ１０３でＮｏ）、錠制御通信機４に設けられたＬＥＤ（不図示）が点滅し、エラーの発生をユーザに報知する。その後、再びＳ１０２の動作が行なわれる。
【００５８】
照合の結果、これらのＩＤ情報が一致した場合（Ｓ１０５でＹｅｓ）、電子錠３は開錠制御される（Ｓ１０６）。開錠制御により、ユーザが電子錠３のつまみ部３１を回転させることが可能となり、電子錠３が取り付けられた扉等を開けることができる。電子錠３が開錠制御された後、ユーザが扉等を開けず（Ｓ１０７でＮｏ）、所定の時間が経過した場合（Ｓ１０８でＹｅｓ）、電子錠３は自動的に施錠され、再度電子錠３の開閉動作が行なわれる場合、Ｓ１０２の動作が再び行なわれる（Ｓ１０９）。所定の時間が経過しない間（Ｓ１０８でＮｏ）、電子錠３は開錠された状態で待機する。一方、電子錠３が開錠された後、ユーザが扉等を開け（Ｓ１０７でＹｅｓ）、次にユーザが扉等を閉じた場合（Ｓ１１０でＹｅｓ）、電子錠３は自動的に施錠される（Ｓ１０９）。ユーザが扉等を開けた後、扉を閉じない間（Ｓ１１０でＮｏ）、電子錠３は開錠された状態で待機する。
【００５９】
照合の結果、これらのＩＤ情報が一致しない場合（Ｓ１０５でＮｏ）、錠制御通信機４は、自身のＩＤ情報を、ユーザ通信機２のアドレス２へ書き込むために通信を開始する（Ｓ１１１）。この通信が成功しない場合（Ｓ１１２でＮｏ）、上記のＬＥＤが点滅し、エラーの発生をユーザに報知し、繰り返し書き込み動作が行なわれる。この通信が成功してＩＤ情報の書き込みが完了したとき（Ｓ１１２でＹｅｓ）、上記のＬＥＤは点灯し、成功をユーザに通知する。
【００６０】
ＩＤ情報書き込み完了後に、管理者が、所持するＩＤ変換通信機５とユーザ通信機２とを通信させたとする。ＩＤ変換通信機５は、ユーザ通信機２のアドレス２からＩＤ情報を読み出す動作を開始する（Ｓ１１３）。この通信が成功し、ＩＤ情報を取得できた場合（Ｓ１１４でＹｅｓ）、ＩＤ変換通信機５は、このＩＤ情報をユーザ通信機２のアドレス１に書き込む動作を開始する（Ｓ１１５）。アドレス１は、電子錠３の開閉制御のために、錠制御通信機４と照合されるＩＤ情報が格納されるアドレスである。上記の通信が成功し、ＩＤ情報がユーザ通信機２に書き込まれたとき（Ｓ１１６でＹｅｓ）、ＩＤ変換通信機５に設けられたＬＥＤ（不図示）が点灯し、通信の成功が管理者に通知される（Ｓ１１７）。ユーザ通信機２のアドレス１へのＩＤ情報の書き込み後に、再度、ユーザが電子錠３の開閉動作を行なう場合、Ｓ１０２の動作が再び行なわれる。ＩＤ変換通信機５によるＩＤ情報の読み出し又は書き込みが成功しなかった場合（Ｓ１１４でＮｏ、Ｓ１１６でＮｏ）、上記のＬＥＤが点滅し、エラーが管理者に通知される（Ｓ１１８）。その後、Ｓ１１３の動作が再び行なわれる。
【００６１】
図９は、上記の錠開閉制御における、ユーザ通信機２へのＩＤ情報書き込み動作（図８のＳ１１１に対応）の内容と、書き込まれたＩＤ情報の読み出し動作（図８のＳ１１５に対応）の内容とを詳細に示す。錠制御通信機４の制御部４７は、自身のＩＤ情報をユーザ通信機２に送信するとき、このＩＤ情報を暗号化し（Ｓ２０１）、このＩＤ情報をユーザ通信機２のアドレス２に書き込む（Ｓ２０２）。この暗号化は、例えばＩＤ変更部４８による変更前のＩＤ情報に基づいて行なわれる。このように、ＩＤ情報が暗号化されるので、ユーザ通信機２が盗難に合った場合等に、ＩＤ情報の漏洩を防ぐことができ、セキュリティ性を高めることができる。
【００６２】
錠制御通信機４は、ユーザ通信機２のアドレス１のＩＤ情報と自身のＩＤ情報とが一致しない場合に、自身のＩＤ情報をユーザ通信機２のアドレス２に書き込む。アドレス１には、錠制御通信機４のＩＤ情報と照合されるＩＤ情報が格納される。ＩＤ情報の不一致は、例えば、錠制御通信機４のＩＤ情報がＩＤ変更部４８により更新された場合に生じる。ＩＤ情報が一致しない場合、錠制御通信機４のＩＤ情報とユーザ通信機２のＩＤ情報とを一致させるため、アドレス２のＩＤ情報をアドレス１に書き込む必要が生じる。そこで、ＩＤ変換通信機５の制御部５７は、暗号化されたＩＤ情報をユーザ通信機２のアドレス２から読み出し（Ｓ２０３）、このＩＤ情報を復号化する（Ｓ２０４）。さらに、制御部５７は、復号化したＩＤ情報をユーザ通信機２のアドレス１に書き込む（Ｓ２０５）。
【００６３】
図１０は、複数台の錠制御通信機４が電子錠システム１に設けられる場合に該通信機のＩＤ情報を統一する方法を示す。電子錠システム１は、複数台の錠制御通信機４を通信可能に接続する通信線７（通信手段）をさらに備える。通信線７は、例えば、ＬＡＮ（Ｌｏｃａｌ  Ａｒｅａ  Ｎｅｔｗｏｒｋ）、無線ＬＡＮ、錠制御通信機４に電力を供給する電力線又はＲＳ−４８５から成る。
【００６４】
複数台の錠制御通信機４は、通信線７により相互に通信可能に接続され、これらのうち１台がマスタ設定される。マスタ設定は、例えば、マスタ端子が設けられた複数台の錠制御通信機４のうち１台のマスタ端子に、通信線７を接続することにより行なわれる。マスタ端子に通信線７が接続された錠制御通信機４の制御部４７は、この接続を検知し、自身がマスタ設定されたことを認識する。
【００６５】
マスタ設定された錠制御通信機４の電源がＯＮされたとき、（１）この通信機のＩＤ変更部４８のみが、該通信機のＩＤ情報を新ＩＤ情報に変更する。ここで新ＩＤ情報がＩＤｘｘに設定されたとする。（２）ＩＤ情報設定後、マスタ設定された錠制御通信機４の制御部４７は、通信線７を介して、他の前記錠制御通信機４にＩＤ情報をＩＤｘｘに設定するように指示する指示信号を送信する。（３）この指示信号を受信した錠制御通信機４の制御部４７は、自身のＩＤ情報を新ＩＤ情報ＩＤｘｘに設定する。このようにして、マスタ設定された錠制御通信機４により、他の錠制御通信機４のＩＤ情報は設定される。
【００６６】
上記のような構成により、マスタ設定された錠制御通信機４のみが新ＩＤ情報の作成を行ない、そのＩＤ情報が通信線７により他の錠制御通信機４に転送され、全ての錠制御通信機４のＩＤ情報を統一することができる。その結果、同一のユーザ通信機を使用して複数の電子錠を開閉することが可能となる。
【００６７】
次に、本発明の第２の実施形態に係る電子錠システムについて図１１乃至図１３を参照して説明する。本実施形態の電子錠システムは、上記実施形態と比較して、ＩＤ変換通信機５が記憶部及びスイッチ部をさらに備える点で異なる。
【００６８】
図１１は、ＩＤ変換通信機５の構成を示す。本実施形態のＩＤ変換通信機５は、上記実施形態のＩＤ変換通信機５と比較して（図５参照）、ユーザ通信機２と送受信するＩＤ情報を含む各種情報を記憶する記憶部５０（記憶手段）と、ユーザが押下げ操作可能なスイッチ部６０（操作手段）と、をさらに備える点で異なる。
【００６９】
記憶部５０は、ユーザ通信機２から読み出したＩＤ情報を一時的に記憶するためのＲＡＭ等の揮発性メモリを含む。制御部５７は、ユーザ通信機２から読み出したＩＤ情報を記憶部５０に格納し、さらに記憶部５０に格納したＩＤ情報を読み出して、ユーザ通信機２に書き込むことが可能である。このように、ＩＤ情報は揮発性メモリに記憶されるので、これら通信機が分解されてメモリが取り出される場合、メモリに電力が供給されなくなり、メモリに格納されたＩＤ情報は失われ、このＩＤ情報を読み出すことができなくなる。従って、ＩＤ変換通信機５が盗難に合った場合、ＩＤ情報の漏洩を防ぐことができ、セキュリティ性の向上を図ることができる。
【００７０】
また、記憶部５０は、ＲＯＭ（Ｒｅａｄ  Ｏｎｌｙ  Ｍｅｍｏｒｙ）を含み、このＲＯＭは、暗号化されたＩＤ情報を復号化するためのプログラムを格納する。制御部５７は、ユーザ通信機２から読み出したＩＤ情報が暗号化されている場合に、このプログラムを用いてＩＤ情報の復号化を行なう。
【００７１】
スイッチ部６０は、スイッチ、ボタン又はキーを含む。制御部５７は、このスイッチ、ボタン又はキーがユーザにより押下げられ、スイッチ部６０が操作されている間にユーザ通信機２と通信を行なうとき、ユーザ通信機２のアドレス２のＩＤ情報を読み出すと共に、記憶部５０に該ＩＤ情報を記憶させる。スイッチ部６０が操作されていない間にユーザ通信機２と通信を行なうとき、記憶部５０に記憶させたＩＤ情報をユーザ通信機２のアドレス１に書き込む。
【００７２】
図１２（ａ）（ｂ）（ｃ）は、ＩＤ変換通信機５の概観を示し、同図（ｄ）は、ＩＤ変換通信機５とユーザ通信機２とが電気的に接続されたときの様子を示す。記憶部５０を構成する各種メモリは筐体５８に収納される。スイッチ部６０は、筐体５８の表面に、ユーザが押下げ可能に設けられる。スイッチ部６０は、上面、側面及び底面のうちいずれかの面に配置される。
【００７３】
図１３は、電子錠システム１における各通信機の錠開閉制御時の動作を、特に認証エラーが発生した時の動作を時系列に示す。ユーザ通信機２のアドレス１に格納されたＩＤ情報と、錠制御通信機４の記憶部４０に格納されたＩＤ情報とが異なる場合、認証エラーが発生する。ここで、アドレス１に格納されたＩＤ情報をＩＤｘｘとし、錠制御通信機４のＩＤ情報をＩＤｘｙとする。ＩＤｘｘとＩＤｘｙは、異なるＩＤ情報とする。
【００７４】
（１）認証エラーが発生した場合、錠制御通信機４は、自身の新ＩＤ情報ＩＤｘｙをユーザ通信機のアドレス２（＃２）に自動的に書き込む。
【００７５】
ユーザがＩＤ変換通信機５のスイッチ部６０を操作し、ボタンを押下げている間に、ユーザ通信機２とＩＤ変換通信機５とが通信を行なったとする。ボタンが押下げられている間に、（２）ＩＤ変換通信機５は、錠制御通信機４によりユーザ通信機２のアドレス２に書き込まれたＩＤ情報を読み出す動作を開始する。（３）ユーザ通信機２は、アドレス２に格納したＩＤ情報ＩＤｘｙをＩＤ変換通信機５にロードさせ、ＩＤ変換通信機５の記憶部５０はＩＤｘｙを記憶する。
【００７６】
アドレス２からＩＤ情報を読み出した後、ユーザがボタンの押下げを止め、スイッチ部６０の操作を止めたとする。ＩＤ変換通信機５は、スイッチ部６０が操作されていない間にユーザ通信機２と通信を行なうとき、（４）記憶部５０に記憶させたＩＤ情報をユーザ通信機２のアドレス１に書き込み、電子錠の開閉制御のために錠制御通信機４のＩＤ情報と照合されるユーザ通信機２のＩＤ情報に新たに設定する。このように、ＩＤ変換通信機５における、ユーザ通信機２からのＩＤ情報読み出し動作と、ユーザ通信機２へのＩＤ情報書き込み動作とは、スイッチ部６０の操作に応じて別々に行なわれる。このＩＤ情報書き込み動作によりユーザ通信機２のＩＤ情報が変換される。
【００７７】
ユーザ通信機２のＩＤ情報変換後、ユーザが電子錠３の開閉するために、ユーザ通信機２と錠制御通信機４とを通信させたとする。（５）錠制御通信機４は、ユーザ通信機２の記憶部２０のアドレス１（＃１）から、ユーザ通信機２のＩＤ情報を読み出す動作を行なう。（６）ユーザ通信機２は、自身のＩＤ情報ＩＤｘｙを、錠制御通信機４にロードさせる。錠制御通信機４は、ユーザ通信機２のこのＩＤ情報と、自身のＩＤ情報を照合する。錠制御通信機４のＩＤ情報はＩＤｘｙであるため、これらの通信機のＩＤ情報は一致する。その結果、電子錠３の開閉が可能となる。
【００７８】
このように、ＩＤ変換通信機５において、ユーザ通信機２からのＩＤ情報読み出し動作と、ユーザ通信機２へのＩＤ情報書き込み動作とを別々に行なうことができるので、複数台のユーザ通信機２が設けられる場合、１台のユーザ通信機２からＩＤ情報を読み出し、その後、当該情報を複数台のユーザ通信機２に書き込むことができる。このため、複数台のユーザ通信機２が設けられる場合に、ユーザ通信機２のＩＤ情報を簡便に変更することが可能となる。
【００７９】
次に、本発明の第３の実施形態に係る電子錠システムについて図１４乃至図１６を参照して説明する。本実施形態の電子錠システムは、上記実施形態と比較して、錠制御通信機４が、ＩＤ情報を更新するためにユーザが操作するスイッチ部をさらに備える点で異なる。
【００８０】
図１４は、錠制御通信機４の電気的構成を示す。本実施形態の錠制御通信機４は、上記実施形態の錠制御通信機４と比較して（図４（ａ）参照）、ＩＤ情報を更新するためにユーザにより操作されるスイッチ部４９（操作手段）をさらに備える点で異なる。
【００８１】
記憶部４０は、ＲＯＭ（Ｒｅａｄ  Ｏｎｌｙ  Ｍｅｍｏｒｙ）を含み、このＲＯＭは、擬似乱数を生成するための乱数生成プログラム（ソフトウェア）を格納する。スイッチ部４９は、スイッチ、ボタン又はキーを含み、ユーザの操作に基づき、上記のプログラムを用いて新ＩＤ情報を作成するように制御部４７に指示する。
【００８２】
制御部４７のＩＤ変更部４８は、スイッチ部４９からの指示に基づき、上記のプログラムにより作成された擬似乱数に基づいてＩＤ情報を更新し、新ＩＤ情報を作成する。このため、ＩＤ情報を解読困難なものにすることができ、セキュリティ性の向上を図ることができる。また、ユーザがスイッチ部４９を操作したときに新ＩＤ情報が作成されるので、任意のときに錠制御通信機のＩＤ情報を更新することができる。
【００８３】
図１５は、ＩＤ情報更新時の錠制御通信機４の動作を示す。ここで、錠制御通信機４のＩＤ情報をＩＤｘｘとする。（１）ユーザが錠制御通信機４のスイッチ部４９を操作したとき、（２）制御部４７は、乱数生成のためのプログラムを実行し、ＩＤ変更部４８は、このプログラムにより生成された擬似乱数に基づいて、ＩＤ情報を新ＩＤ情報に更新する。例えば、新ＩＤ情報をＩＤｘｙとすると、記憶部４０に格納されるＩＤ情報は新ＩＤ情報ＩＤｘｙに変更される。
【００８４】
図１６は、複数台の錠制御通信機４が電子錠システム１に設けられる場合に該通信機のＩＤ情報を統一する方法を示す。複数台の錠制御通信機４は、通信線７を介して互いに通信可能である。
【００８５】
（１）ユーザが任意の錠制御通信機４のスイッチ部４９を操作したとする。操作前のこの通信機のＩＤ情報はＩＤｘｘであったとする。（２）スイッチ部４９の操作に基づき、この通信機のＩＤ変更部４８が、該通信機のＩＤ情報を新ＩＤ情報に変更する。ここで新ＩＤ情報がＩＤｘｙに設定されたとする。（３）ＩＤ情報設定後、スイッチ部４９を操作された錠制御通信機４の制御部４７は、通信線７を介して、他の前記錠制御通信機４にＩＤ情報をＩＤｘｙに書き換えるように指示する指示信号を送信する。（４）この指示信号を受信した錠制御通信機４の制御部４７は、自身のＩＤ情報を新ＩＤ情報ＩＤｘｙに変更する。このようにして、ユーザの操作によりＩＤ情報が変更された錠制御通信機４は、通信線７を介して、他の錠制御通信機４のＩＤ情報を、自身の新ＩＤ情報に書き換える。
【００８６】
上記のような構成により、ユーザが１台の錠制御通信機４のＩＤ情報を更新した場合、そのＩＤ情報が通信線７により他の錠制御通信機４に転送され、全ての錠制御通信機４のＩＤ情報を統一することができる。その結果、同一のユーザ通信機を使用して複数の電子錠を開閉することが可能となる。
【００８７】
次に、本発明の第４の実施形態について図１７及び図１８を参照して説明する。本実施形態の電子錠システムは、上記実施形態と比較して、錠制御通信機４が、時間に応じてカウントを行なうカウント部をさらに有する点で異なる。
【００８８】
図１７は、錠制御通信機４の電気的構成を示す。本実施形態の錠制御通信機４は、上記実施形態の錠制御通信機４と比較して（図４（ａ）及び図１４参照）、特定のときからの経過時間に応じてカウントを行なうカウント部７０を有する点で異なる。
【００８９】
カウント部７０は、制御部４７内に設けられ、時間を計測するタイマと、タイマにより計測された時間に応じてカウントを行なうカウンタと、を備える。タイマは、例えば錠制御通信機４の電源がオンされたときからの経過時間を計測し、カウンタは規定の時間が経過するごとにインクリメントされる。
【００９０】
ＩＤ変更部４８は、上記カウンタの値に基づいて新ＩＤ情報を作成する。例えば、錠制御通信機４が、電源オン後に最初にユーザ通信機２と通信したときのカウンタの値に基づいて、新ＩＤ情報を作成する。
【００９１】
図１８は、ＩＤ変更部４８による錠制御通信機４のＩＤ情報更新の手順を示す。錠制御通信機４の電源オン時に、カウント部７０のカウンタの値は０にされる（Ｓ３０１）、その後、規定時間の経過に応じてカウンタの値がインクリメントされる（Ｓ３０１）。錠制御通信機４が、電源オン後に、ユーザ通信機２と最初の通信を開始し、ユーザ通信機２からＩＤ情報を読み出す動作を開始し（Ｓ３０３）、この通信が成功した場合（Ｓ５０４でＹｅｓ）、ＩＤ変更部４８は、カウンタの値に応じて新ＩＤ情報を生成する。旧ＩＤ情報は新ＩＤ情報に変更され、ＩＤ情報は更新される（Ｓ５０５）。上記の通信が失敗した場合（Ｓ５０４でＮｏ）、Ｓ３０２の動作が再度行なわれる。
【００９２】
このように、電源オン時から錠制御通信機４の最初の通信時までの、不定な経過時間に応じて、錠制御通信機４の新ＩＤ情報を作成することにより、解読困難なＩＤ情報を作成することができる。その結果、セキュリティ性を高めることができる。また、錠制御通信機４が最初に通信を行なうとき新ＩＤ情報が作成されるので、自動的にＩＤ情報を更新することができる。
【００９３】
次に、本発明の第５の実施形態について図１９を参照して説明する。本実施形態の電子錠システムは、上記実施形態と比較して、錠制御通信機４が、ＩＤ情報を更新するためにユーザが操作するスイッチ部と、時間に応じてカウントを行なうカウント部と、をさらに備える点で異なる。
【００９４】
図１９は、錠制御通信機４の電気的構成を示す。本実施形態の錠制御通信機４は、上記実施形態の錠制御通信機４と比較して（図４（ａ）、図１４及び図１７参照）、ＩＤ情報を更新するためにユーザが操作するスイッチ部４９と、特定のときからの経過時間に応じてカウントを行なうカウント部７０と、を有する点で異なる。
【００９５】
スイッチ部４９は、スイッチ、ボタン又はキーを含み、ユーザの操作に基づき、制御部４７のＩＤ変更部４８にＩＤ情報を作成する指示する指示信号を出力する。
【００９６】
カウント部７０は、制御部４７内に設けられ、時間を計測するタイマと、タイマにより計測された時間に応じてカウントを行なうカウンタと、を備える。タイマは、例えば錠制御通信機４の電源がオンされたときからの経過時間を計測し、カウンタは規定の時間が経過するごとにインクリメントされる。
【００９７】
ＩＤ変更部４８は、スイッチ部４９から指示信号に基づき、指示信号を受信したときの上記カウンタの値に基づいて新ＩＤ情報を作成する。ユーザがスイッチ部４９を操作するときは不定であるため、例えば錠制御通信機４の電源オン時からスイッチ部４９の操作時までの経過時間に応じて錠制御通信機４の新ＩＤ情報を作成することにより、解読困難なＩＤ情報を作成することができる。このため、セキュリティ性を高めることができる。また、ユーザがスイッチ部４９を操作したときに新ＩＤ情報が作成されるので、任意のときに錠制御通信機４のＩＤ情報を更新することができる。
【００９８】
本発明は、例えば、管理者によるパチンコ台等の管理のためのセキュリティシステムに有効である。また、本発明は、上記のような実施形態の構成に限定されるものでなく、使用目的に応じ、様々な変形が可能である。例えば、錠開閉制御により、電子錠３の開閉が自動的に行なわれてもよい。また、ＩＤ変換通信機５の電極５１、５２のうちいずれか一方がタッチ電極で、他方が結合電極であっても構わない。また、ユーザ通信機２、錠制御通信機４及びＩＤ変換通信機５の間の通信は、赤外線通信、無線通信、非接触タグ等による通信であってもよい。
【図面の簡単な説明】
【００９９】
【図１】本発明の第１の実施形態に係る電子錠システムの電気的構成を示すブロック図。
【図２】上記電子錠システムのユーザ通信機の電気的構成を示すブロック図。
【図３】（ａ）は上記ユーザ通信機を示す正面図、（ｂ）その背面図。
【図４】（ａ）は上記電子錠システムの電子錠及び錠制御通信機の電気的構成を示す図、（ｂ）は上記電子錠を示す図。
【図５】上記電子錠システムのＩＤ変換通信機の電気的構成を示すブロック図。
【図６】（ａ）は上記ＩＤ変換通信機を示す正面図、（ｂ）はその側面図、（ｃ）はその平面図、（ｄ）上記ＩＤ変換通信機と上記ユーザ通信機とが電気的に接続されたときの様子を示す図。
【図７】上記電子錠システムにおける錠開閉制御時の各通信機の動作を示す図。
【図８】上記電子錠システムの錠開閉制御の動作手順を示すフローチャート。
【図９】上記錠開閉制御における、ユーザ通信機へのＩＤ情報書き込み動作と、書き込まれたＩＤ情報の読み出し動作の詳細な手順を示すフローチャート。
【図１０】上記電子錠システムにおいて、相互に通信可能に接続された複数の錠制御通信機を示すブロック図。
【図１１】本発明の第２の実施形態に係る電子錠システムを構成するＩＤ変換通信機の電気的構成を示すブロック図。
【図１２】（ａ）は上記ＩＤ変換通信機を示す正面図、（ｂ）はその側面図、（ｃ）はその平面図、（ｄ）上記ＩＤ変換通信機と上記ユーザ通信機とが電気的に接続されたときの様子を示す図。
【図１３】上記電子錠システムにおける各通信機の錠開閉制御時の動作を示す図。
【図１４】本発明の第３の実施形態の電子錠システムを構成する錠制御通信機の電気的構成を示すブロック図。
【図１５】上記錠制御通信機のＩＤ情報更新時の動作を示す図。
【図１６】上記電子錠システムにおいて、相互に通信可能に接続された複数の錠制御通信機を示すブロック図。
【図１７】本発明の第４の実施形態の電子錠システムを構成する錠制御通信機の電気的構成を示すブロック図。
【図１８】上記錠制御通信機のＩＤ情報更新手順を示すフローチャート。
【図１９】本発明の第５の実施形態の電子錠システムを構成する錠制御通信機の電気的構成を示すブロック図。
【符号の説明】
【０１００】
１  電子錠システム
２  ユーザ通信機
３  電子錠
４  錠制御通信機
５  ＩＤ変換通信機
７  通信線（通信手段）
２０、４０、５０  記憶部（記憶手段）
２７、４７、５７  制御部
４８  ＩＤ変更部（ＩＤ変更手段）
４９  スイッチ部（操作手段）
６０  スイッチ部（操作手段）
７０  カウント部（カウント手段）
【図１】
2007224571.tif 000003
【図２】
2007224571.tif 000004
【図３】
2007224571.tif 000005
【図４】
2007224571.tif 000006
【図５】
2007224571.tif 000007
【図６】
2007224571.tif 000008
【図７】
2007224571.tif 000009
【図８】
2007224571.tif 000010
【図９】
2007224571.tif 000011
【図１０】
2007224571.tif 000012
【図１１】
2007224571.tif 000013
【図１２】
2007224571.tif 000014
【図１３】
2007224571.tif 000015
【図１４】
2007224571.tif 000016
【図１５】
2007224571.tif 000017
【図１６】
2007224571.tif 000018
【図１７】
2007224571.tif 000019
【図１８】
2007224571.tif 000020
【図１９】
2007224571.tif 000021